(57)【要約】【課題】広い場所における目的地及びルートの設定を可能にし、複数のカーナビゲーション装置に対する設定を簡単にできるデータ記録送信装置及び記録媒体再生装置を提供する。【解決手段】データ記録送信装置２０は、カーナビゲーション用地図情報を記録した記録媒体を再生可能な記録媒体再生装置において設定された目的地及びルート情報を含む信号を受信する受信回路３７と、受信された信号に基づく目的地及びルート情報を記憶するメモリ３６と、送信回路３５と、メモリ３６に記憶された目的地及びルート情報に基づいて、記録媒体再生装置において設定された目的地及びルート情報を含む信号を送信回路３５から送信させるマイコン３３とを有している。【選択図】　　　　図４
2004125585.tif 000002
【特許請求の範囲】
【請求項１】
カーナビゲーション用地図情報を記録した記録媒体を再生可能な記録媒体再生装置において設定された目的地及びルート情報を含むデータ信号を受信する第１の受信手段と、
前記第１の受信手段により受信されたデータ信号に基づく目的地及びルート情報を記憶する第１の記憶手段と、
信号を送信する送信手段と、
前記第１の記憶手段に記憶された目的地及びルート情報に基づいて、前記記録媒体再生装置において設定された目的地及びルート情報を含むデータ信号を前記送信手段から送信させる制御手段と
を有することを特徴とするデータ記録送信装置。
【請求項２】
前記制御手段が、前記記録媒体を再生可能な記録媒体再生装置を操作するための操作信号を前記送信手段から送信させることを特徴とする請求項１に記載のデータ記録送信装置。
【請求項３】
被操作装置を遠隔操作するリモートコントローラから送信される操作信号を受信する第２の受信手段と、
前記第２の受信手段により受信された操作信号に基づく操作情報を記憶する第２の記憶手段と
を有し、
前記制御手段が、前記第２の記憶手段に記憶された操作情報に基づく操作信号を前記送信手段から送信させる
ことを特徴とする請求項１又は２のいずれかに記載のデータ記録送信装置。
【請求項４】
前記第１の受信手段が、被操作装置を遠隔操作するリモートコントローラから送信される操作信号を受信し、
前記第１の記憶手段が、前記第１の受信手段により受信された前記操作信号に基づく操作情報を記憶し、
前記制御手段が、前記第１の記憶手段に記憶された操作情報に基づく操作信号を前記送信手段から送信させる
ことを特徴とする請求項１又は２のいずれかに記載のデータ記録送信装置。
【請求項５】
前記第１の受信手段により受信される信号及び前記送信手段から送信される信号が、赤外線信号であることを特徴とする請求項１，２，４のいずれかに記載のデータ記録送信装置。
【請求項６】
前記第１の受信手段により受信される信号、前記第２の受信手段により受信される信号、及び前記送信手段から送信される信号が、赤外線信号であることを特徴とする請求項３に記載のデータ記録送信装置。
【請求項７】
前記第１の記憶手段又は前記第２の記憶手段の記憶内容を表示する表示手段を有することを特徴とする請求項１から６までのいずれかに記載のデータ記録送信装置。
【請求項８】
カーナビゲーション用地図情報を記録した記録媒体を再生可能であり、目的地及びルート情報を設定できる記録媒体再生装置であって、
設定された目的地及びルート情報を記憶する記憶手段と、
信号を送信する送信手段と、
前記記憶手段に記憶された目的地及びルート情報に基づいて、前記設定された目的地及びルート情報を含むデータ信号を前記送信手段から送信させる制御手段と
を有することを特徴とする記録媒体再生装置。
【請求項９】
前記請求項１から７までのいずれかに記載のデータ記録再生装置から送信されたデータ信号を受信する受信手段を有し、
前記受信手段により受信されたデータ信号に基づいて目的地及びルート情報を設定する
ことを特徴とする請求項８に記載の記録媒体再生装置。
【請求項１０】
前記記録媒体再生装置が、室内に設置された光ディスク再生装置であることを特徴とする請求項８又は９のいずれかに記載の記録媒体再生装置。
【請求項１１】
前記記録媒体再生装置が、車載されたカーナビゲーション装置であることを特徴とする請求項８又は９のいずれかにに記載の記録媒体再生装置。
【発明の詳細な説明】
【０００１】
【発明の属する技術分野】
本発明は、室内に設置された光ディスク再生装置又は車載されたカーナビゲーション装置等のような記録媒体再生装置、並びに、カーナビゲーション用地図情報に基づいて目的地及びルート情報を設定する際に使用するデータ記録送信装置に関する。
【０００２】
【従来の技術】
カーナビゲーション装置を使用することが予定されている自動車による旅行の場合には、出発前にカーナビゲーション装置において目的地及びルートを設定しておくことが多い。目的地及びルートの設定操作は、通常は、カーナビゲーション装置が搭載された車内でリモートコントローラを用いて行う（例えば、特許文献１及び２を参照）。
【０００３】
【特許文献１】
特開平８−３３１６６６号公報（図１）
【特許文献２】
特開平７−２４０９７７号公報（図２）
【０００４】
【発明が解決しようとする課題】
しかしながら、カーナビゲーション装置が装備されている車内は狭く、カーナビゲーション装置の画面は小さいので、リモートコントローラを用いたとしても、大人数で相談しながら目的地及びルートを設定することは、容易ではなかった。
【０００５】
また、複数台の自動車に分乗して移動する場合には、各自動車のカナビゲーション装置毎に同様の操作を行って、同じ目的地及びルートを設定しなければならず、設定者の負担が大きかった。
【０００６】
そこで、本発明は、上記したような従来技術の課題を解決するためになされたものであり、その目的とするところは、車内以外の場所における目的地及びルートの設定を可能にし、複数のカーナビゲーション装置に対する目的地及びルートの設定を簡単に行うことができるデータ記録送信装置及び記録媒体再生装置を提供することにある。
【０００７】
【課題を解決するための手段】
本発明に係るデータ記録送信装置は、カーナビゲーション用地図情報を記録した記録媒体を再生可能な記録媒体再生装置において設定された目的地及びルート情報を含むデータ信号を受信する第１の受信手段と、前記第１の受信手段により受信されたデータ信号に基づく目的地及びルート情報を記憶する第１の記憶手段と、信号を送信する送信手段と、前記第１の記憶手段に記憶された目的地及びルート情報に基づいて、前記記録媒体再生装置において設定された目的地及びルート情報を含むデータ信号を前記送信手段から送信させる制御手段とを有する。
【０００８】
また、本発明に係る記録媒体再生装置は、カーナビゲーション用地図情報を記録した記録媒体を再生可能であり、目的地及びルート情報を設定できる装置であって、設定された目的地及びルート情報を記憶する記憶手段と、信号を送信する送信手段と、前記記憶手段に記憶された目的地及びルート情報に基づいて、前記設定された目的地及びルート情報を含むデータ信号を前記送信手段から送信させる制御手段とを有する。
【０００９】
【発明の実施の形態】
実施の形態１．
図１（ａ）はカーナビゲーション装置１０を概略的に示す正面図、図１（ｂ）は本発明の実施の形態１に係るデータ記録送信装置２０を概略的に示す平面図、図１（ｃ）は本発明の実施の形態１に係る記録媒体再生装置であるＤＶＤ（ｄｉｇｉｔａｌ　ｖｅｒｓａｔｉｌｅ　ｄｉｓｃ）プレーヤ４０を概略的に示す正面図である。
【００１０】
カーナビゲーション装置１０は、車載されており、図１（ａ）に示されるように、装置本体１１と、この装置本体１１にケーブル接続された表示装置１２とを備えている。装置本体１１は、カーナビゲーション用地図情報を記録した記録媒体としての光ディスク（例えば、ＤＶＤディスク）が挿入される挿入部１３と、赤外線信号を受信する受光素子１４とを備えている。カーナビゲーション装置１０における目的地（訪問先）及びルートの設定は、例えば、次の手順により行う。先ず、操作者は、挿入部１３にカーナビゲーション用地図情報を記録した光ディスクを挿入し、装置本体１１の操作部（図示せず）又はリモートコントローラ（例えば、図１（ｂ）のデータ記録送信装置２０）を用いて目的地を指定する。カーナビゲーション装置１０は、指定された目的地へのルートの候補を１又は複数提示する。次に、操作者は、ルートを選択し、目的地及びルートの設定を終了する。ただし、目的地及びルートの設定方法は、この手順に限らない。
【００１１】
図１（ｂ）に示されるように、実施の形態１に係るデータ記録送信装置２０は、操作部（操作ボタン、操作スティック、操作ダイヤル等）２１と、液晶パネル等の表示部２２とを備えている。また、データ記録送信装置２０は、赤外線信号を送信する発光素子（赤外線発光ダイオード）２３と、赤外線信号を受信する受光素子２４とを備えている。データ記録送信装置２０は、発光素子２３からカーナビゲーション装置１０及び／又はＤＶＤプレーヤ４０の操作信号（赤外線信号）を送信するリモートコントローラ（リモコン装置）としての機能と、目的地及びルート情報を含むデータ信号（赤外線信号）を受信し、記憶し、送信するデータ記録送信の機能とを併せ持つ。
【００１２】
図１（ｃ）に示されるように、実施の形態１に係るＤＶＤプレーヤ４０は、カーナビゲーション用地図情報を記録した記録媒体としての光ディスク（例えば、ＤＶＤディスク）が挿入される挿入部４１と、赤外線信号を受信する受光素子４２と、赤外線信号を送信する発光素子４３とを備えている。実施の形態１に係るＤＶＤプレーヤ４０は、カーナビゲーション用地図情報を記録した記録媒体を再生可能な記録媒体再生装置であり、カーナビゲーション装置と同様の機能を持つように構成されている。ＤＶＤプレーヤ４０は、室内に設置されており、テレビ受像機等の表示装置（図示せず）にケーブル接続されている。ＤＶＤプレーヤ４０における目的地及びルートの設定は、例えば、次の手順により行う。先ず、操作者は、挿入部４１にカーナビゲーション用地図情報を記録した光ディスクを挿入し、ＤＶＤプレーヤ４０の本体操作部（図示せず）又はリモートコントローラ（例えば、図１（ｂ）のデータ記録送信装置２０）を用いて目的地を指定する。ＤＶＤプレーヤ４０は、指定された目的地へのルートの候補を１又は複数提示する。次に、操作者は、ルートを選択し、目的地及びルートの設定を終了する。ただし、目的地及びルートの設定方法は、この手順に限らない。
【００１３】
図２は、実施の形態１に係るデータ記録送信装置２０の構成を示すブロック図である。図２に示されるように、データ記録送信装置２０は、操作部（図１（ｂ）の符号２１）の操作を受けたときに操作信号を生成するキー入出力回路３１と、赤外線を周波数で振幅変調するための発振回路３２と、マイコン３３と、赤外線パルスのパルス幅を設定するパルス幅回路３４と、発光素子２３を備えた送信回路３５とを有している。また、データ記録送信装置２０は、メモリ３６と、受光素子２４を備えた受信回路３７とを有している。表示部２２は、例えば、メモリ３６の記憶内容を表示する。
【００１４】
図３は、実施の形態１に係るＤＶＤプレーヤ４０の送受信部４０ａの構成を示すブロック図である。図３に示されるように、実施の形態１に係るＤＶＤプレーヤ４０は、マイコン４４と、送受信部４０ａとを備えている。送受信部４０ａは、赤外線パルスのパルス幅を設定するパルス幅回路４５と、発光素子４３を備えた送信回路４６と、受光素子４２を備えた受信回路４７とを有している。
【００１５】
図４（ａ）、（ｂ）、（ｃ）は、本発明の実施の形態１における目的地及びルート設定手順の一例を示す説明図である。
【００１６】
実施の形態１においては、先ず、室内において、ＤＶＤプレーヤ４０の挿入部４１にカーナビゲーション用地図情報を記録した光ディスクを挿入し、図４（ａ）に示されるように、データ記録送信装置２０からの操作信号Ｃ１を用いて目的地及びルートを設定する。この目的地及びルートの設定は、例えば、データ記録送信装置２０を用いて目的地を指定し、目的地へのルートの候補の一つを選択することによって行われる。なお、目的地及びルートの設定は、他のリモコン装置又はＤＶＤプレーヤ４０本体に装備された操作部（図示せず）の操作によって行ってもよい。
【００１７】
次に、図４（ｂ）に示されるように、室内において、ＤＶＤプレーヤ４０の発光素子４３から、設定された目的地及びルート情報を含むデータ信号Ｄ１をデータ記録送信装置２０の受光素子２４に向けて送信する。データ記録送信装置２０は、受信したデータ信号Ｄ１に基づく目的地及びルート情報をメモリ３６に記憶する。
【００１８】
次に、データ記録送信装置２０を持ってカーナビゲーション装置１０が車載された車内に移動する。ここで、図４（ｃ）に示されるように、データ記録送信装置２０からメモリ３６に記憶された目的地及びルート情報に基づくデータ信号Ｄ２をカーナビゲーション装置１０の受光素子１４に向けて送信する。カーナビゲーション装置１０は、受信したデータ信号Ｄ２に基づいて、ＤＶＤプレーヤ４０において設定された目的地及びルートと同じ目的地及びルートを設定する。なお、カーナビゲーション装置１０が複数台ある場合には、データ記録送信装置２０からメモリ３６に記憶された目的地及びルート情報に基づくデータ信号Ｄ２を各カーナビゲーション装置１０の受光素子１４に向けて送信する操作を繰り返せばよい。
【００１９】
以上に説明したように、実施の形態１に係るデータ記録送信装置２０及びＤＶＤプレーヤ４０を用いれば、広い室内でテレビ受像機の画面を見ながら目的地及びルートを設定できるので、大人数で相談しながら目的地及びルートを設定することが容易になる。
【００２０】
また、実施の形態１に係るデータ記録送信装置２０を用いれば、データ記録送信装置２０に記憶させた目的地及びルート情報に基づくデータ信号Ｄ２をカーナビゲーション装置１０に向けて送信するだけで、目的地及びルートの設定を完了できるので、設定者の負担を軽減できる。
【００２１】
なお、上記説明においては、操作信号及びデータ信号が赤外線信号である場合を説明したが、操作信号及びデータ信号は赤外線信号以外の信号であってもよい。
【００２２】
また、上記説明においては、記録媒体が光ディスクである場合を説明したが、記録媒体は磁気記録媒体のような光ディスク以外の記録媒体であってもよい。
【００２３】
実施の形態２．
図５（ａ）はカーナビゲーション装置１０を概略的に示す正面図、図５（ｂ）は本発明の実施の形態２に係るデータ記録送信装置２０を概略的に示す平面図、図５（ｃ）は本発明の実施の形態２に係る記録媒体再生装置であるカーナビゲーション装置５０を概略的に示す正面図である。カーナビゲーション装置１０及びデータ記録送信装置２０は、実施の形態１のものと同じ構成を持つ。
【００２４】
実施の形態２に係るカーナビゲーション装置５０は、車載されており、図５（ｃ）に示されるように、装置本体５１と、この装置本体５１にケーブル接続された表示装置５２とを備えている。装置本体５１は、カーナビゲーション用地図情報を記録した記録媒体としての光ディスク（例えば、ＤＶＤディスク）が挿入される挿入部５３と、赤外線信号を受信する受光素子５４と、赤外線信号を送信する発光素子（発光ダイオード）５５とを備えている。カーナビゲーション装置５０における目的地（訪問先）及びルートの設定は、例えば、次の手順により行う。先ず、操作者は、挿入部５３にカーナビゲーション用地図情報を記録した光ディスクを挿入し、装置本体５１の操作部（図示せず）又はリモートコントローラ（例えば、図５（ｂ）のデータ記録送信装置２０）を用いて目的地を指定する。カーナビゲーション装置５０は、指定された目的地へのルートの候補を１又は複数提示する。次に、操作者は、ルートを選択し、目的地及びルートの設定を終了する。ただし、目的地及びルートの設定方法は、この手順に限らない。
【００２５】
図６は、実施の形態２に係るカーナビゲーション装置５０の送受信部５０ａの構成を示すブロック図である。図６に示されるように、実施の形態２に係るカーナビゲーション装置５０は、マイコン５６と、送受信部５０ａとを備えている。送受信部５０ａは、赤外線パルスのパルス幅を設定するパルス幅回路５７と、発光素子５５を備えた送信回路５８と、受光素子５４を備えた受信回路５９とを有している。
【００２６】
図７（ａ）、（ｂ）、（ｃ）は、本発明の実施の形態２における目的地及びルート設定手順の一例を示す説明図である。
【００２７】
実施の形態２においては、先ず、カーナビゲーション装置５０が装備された車内において、カーナビゲーション装置５０の挿入部５３にカーナビゲーション用地図情報を記録した光ディスクを挿入し、図７（ａ）に示されるように、データ記録送信装置２０からの操作信号Ｃ１を用いて目的地及びルートを設定する。この目的地及びルートの設定は、データ記録送信装置２０を用いて目的地を指定し、目的地へのルートの候補の一つを選択することによって行われる。なお、目的地及びルートの設定は、他のリモコン装置又はカーナビゲーション装置５０本体に装備された操作部（図示せず）の操作によって行ってもよい。
【００２８】
次に、図７（ｂ）に示されるように、車内において、カーナビゲーション装置５０の発光素子５５から、設定された目的地及びルート情報を含むデータ信号Ｄ１をデータ記録送信装置２０の受光素子２４に向けて送信する。データ記録送信装置２０は、受信したデータ信号Ｄ１に基づく目的地及びルート情報をメモリ３６（図２）に記憶する。
【００２９】
次に、データ記録送信装置２０を持って他の自動車に移動する。ここで、図７（ｃ）に示されるように、データ記録送信装置２０からメモリ３６に記憶された目的地及びルート情報に基づくデータ信号Ｄ２をカーナビゲーション装置１０の受光素子１４に向けて送信する。カーナビゲーション装置１０は、受信したデータ信号Ｄ２に基づいて、カーナビゲーション装置５０において設定された目的地及びルートと同じ目的地及びルートを設定する。なお、カーナビゲーション装置１０が複数台ある場合には、データ記録送信装置２０からメモリ３６に記憶された目的地及びルート情報に基づくデータ信号Ｄ２を各カーナビゲーション装置１０の受光素子１４に向けて送信する操作を繰り返せばよい。
【００３０】
以上に説明したように、実施の形態２に係るデータ記録送信装置２０を用いれば、データ記録送信装置２０に記憶させた目的地及びルート情報に基づくデータ信号Ｄ２をカーナビゲーション装置１０に向けて送信するだけで、目的地及びルートの設定を完了できるので、設定者の負担を軽減できる。
【００３１】
なお、実施の形態２において、上記以外の点は、上記実施の形態１と同じである。
【００３２】
実施の形態３．
図８（ａ）はカーナビゲーション装置１０を概略的に示す正面図、図８（ｂ）はリモコン装置６０を概略的に示す平面図、図８（ｃ）は本発明の実施の形態３に係るデータ記録送信装置７０を概略的に示す平面図、図８（ｄ）は本発明の実施の形態３に係る記録媒体再生装置であるＤＶＤプレーヤ４０を概略的に示す正面図である。カーナビゲーション装置１０及びＤＶＤプレーヤ４０は、実施の形態１のものと同じ構成を持つ。
【００３３】
図８（ｂ）に示されるように、リモコン装置６０は、操作部（操作ボタン、操作スティック、操作ダイヤル等）６１と、赤外線信号を送信する発光素子６２とを備えている。リモコン装置６０は、発光素子６２からカーナビゲーション装置１０及び／又はＤＶＤプレーヤ４０の操作信号（赤外線信号）を送信する。
【００３４】
図８（ｃ）に示されるように、実施の形態３に係るデータ記録送信装置７０は、操作部（操作ボタン、操作スティック、操作ダイヤル等）７１と、液晶パネル等の表示部７２とを備えている。また、データ記録送信装置７０は、赤外線信号を送信する発光素子７３と、赤外線信号を受信する受光素子７４とを備えている。データ記録送信装置７０は、目的地及びルート情報を含むデータ信号（赤外線信号）を受信し、記憶し、送信する機能を持つ。
【００３５】
図９（ａ）、（ｂ）、（ｃ）は、本発明の実施の形態３における目的地及びルート設定手順の一例を示す説明図である。
【００３６】
実施の形態３においては、先ず、室内において、ＤＶＤプレーヤ４０の挿入部４１にカーナビゲーション用地図情報を記録した光ディスクを挿入し、図９（ａ）に示されるように、リモコン装置６０からの操作信号Ｃ１を用いて目的地及びルートを設定する。この目的地及びルートの設定は、リモコン装置６０を用いて目的地を指定し、目的地へのルートの候補の一つを選択することによって行われる。なお、目的地及びルートの設定は、他のリモコン装置又はＤＶＤプレーヤ４０本体に装備された操作部（図示せず）の操作によって行ってもよい。
【００３７】
次に、図９（ｂ）に示されるように、室内において、ＤＶＤプレーヤ４０の発光素子４３から、設定された目的地及びルート情報を含むデータ信号Ｄ１をデータ記録送信装置７０の受光素子７４に向けて送信する。データ記録送信装置７０は、受信したデータ信号Ｄ１に基づく目的地及びルート情報を内蔵のメモリ（図２のメモリ３６に相当するメモリ）に記憶する。
【００３８】
次に、データ記録送信装置７０を持ってカーナビゲーション装置１０が車載された車内に移動する。ここで、図９（ｃ）に示されるように、データ記録送信装置７０からメモリに記憶された目的地及びルート情報に基づくデータ信号Ｄ２をカーナビゲーション装置１０の受光素子１４に向けて送信する。カーナビゲーション装置１０は、受信したデータ信号Ｄ２に基づいて、ＤＶＤプレーヤ４０において設定された目的地及びルートと同じ目的地及びルートを設定する。なお、カーナビゲーション装置１０が複数台ある場合には、データ記録送信装置７０からメモリ３６に記憶された目的地及びルート情報に基づくデータ信号Ｄ２を各カーナビゲーション装置１０の受光素子１４に向けて送信する操作を繰り返せばよい。
【００３９】
以上に説明したように、実施の形態３に係るＤＶＤプレーヤ４０を用いれば、広い室内でテレビ受像機の画面を見ながら目的地及びルートを設定できるので、大人数で相談しながら目的地及びルートを設定することが容易になる。
【００４０】
また、実施の形態３に係るデータ記録送信装置７０を用いれば、データ記録送信装置７０に記憶させた目的地及びルート情報に基づくデータ信号Ｄ２をカーナビゲーション装置１０に向けて送信するだけで、目的地及びルートの設定を完了できるので、設定者の負担を軽減できる。
【００４１】
なお、実施の形態３において、上記以外の点は、上記実施の形態１と同じである。
【００４２】
また、実施の形態３のデータ記録送信装置７０を上記実施の形態２に適用することもできる。
【００４３】
実施の形態４．
図１０は、本発明の実施の形態４に係るデータ記録送信装置８０の構成を示すブロック図である。実施の形態４に係るデータ記録送信装置８０は、他のリモコン装置の操作信号を学習する機能を兼ね備えた点が、上記実施の形態１又は２におけるデータ記録送信装置２０と相違する。
【００４４】
図１０に示されるように、データ記録送信装置８０は、操作部の操作を受けたときに操作信号を生成するキー入出力回路８１と、赤外線を周波数で振幅変調するための発振回路８２と、マイコン８３と、赤外線パルスのパルス幅を設定するパルス幅回路８４と、発光素子８５ａを備えた送信回路８５とを有している。また、データ記録送信装置８０は、データ信号Ｄ１用のメモリ８６と、データ信号Ｄ１を受信する受光素子８７ａを備えた受信回路８７と、操作信号Ｃ２用のメモリ８８と、操作信号Ｃ２を受信する受光素子８９ａを備えた受信回路８９とを有している。表示部９０は、例えば、メモリ８６及び８８の記憶内容を表示する。
【００４５】
図１１は、実施の形態４に係るデータ記録送信装置８０がリモコン装置１００から操作信号Ｃ２を受信している状態を示す説明図である。図１１に示されるように、操作信号を受光素子８９ａで受信したデータ記録送信装置８０は、操作信号をメモリ８８に記憶する。データ記録送信装置８０は、操作部の操作により、メモリ８８に記憶した（即ち、学習機能により取得した）操作信号を送信回路８５の発光素子８５ａから送信する。メモリ８８及び受信回路８９が追加された点を除いて、データ記録送信装置８０の機能は、上記実施の形態１又は２におけるデータ記録送信装置２０と同じである。
【００４６】
なお、実施の形態４において、上記以外の点は、上記実施の形態１又は２と同じである。
【００４７】
実施の形態５．
図１２は、本発明の実施の形態５に係るデータ記録送信装置１１０の構成を示すブロック図である。実施の形態５に係るデータ記録送信装置１１０は、他のリモコン装置の操作信号を学習する機能を兼ね備えた点が、上記実施の形態１又は２におけるデータ記録送信装置２０と相違する。
【００４８】
図１２に示されるように、データ記録送信装置１１０は、操作部の操作を受けたときに操作信号を生成するキー入出力回路１１１と、赤外線を周波数で振幅変調するための発振回路１１２と、マイコン１１３と、赤外線パルスのパルス幅を設定するパルス幅回路１１４と、発光素子１１５ａを備えた送信回路１１５とを有している。また、データ記録送信装置１１０は、データ信号Ｄ１及び操作信号Ｃ２用のメモリ１１６と、データ信号Ｄ１を受信する受光素子１１７ａを備えた受信回路１１７とを有している。表示部９０は、例えば、メモリ１１６の記憶内容を表示する。
【００４９】
図１３は、実施の形態５に係るデータ記録送信装置１１０がリモコン装置１００から操作信号Ｃ２を受信している状態を示す説明図である。図１３に示されるように、操作信号を受光素子１１７ａで受信したデータ記録送信装置１１０は、操作信号をメモリ１１６に記憶する。データ記録送信装置１１０は、操作部の操作により、メモリ１１６に記憶した（即ち、学習機能により取得した）操作信号を送信回路１１５の発光素子１１５ａから送信する。メモリ１１６及び受信回路１１７が操作信号を受信でき、記憶できる点を除いて、データ記録送信装置１１０の機能は、上記実施の形態におけるデータ記録送信装置２０と同じである。
【００５０】
なお、実施の形態５において、上記以外の点は、上記実施の形態１又は２と同じである。
【００５１】
【発明の効果】
以上に説明したように、本発明に係るデータ記録送信装置及び記録媒体再生装置を用いれば、広い室内でテレビ受像機の画面を見ながら目的地及びルートを設定することが可能になるので、大人数で相談しながら目的地及びルートを設定することが容易になるという効果がある。
【００５２】
また、本発明に係るデータ記録送信装置を用いれば、データ記録送信装置に記憶させた目的地及びルート情報に基づくデータ信号をカーナビゲーション装置に向けて送信するだけで、目的地及びルートの設定を完了できるので、設定者の負担を軽減できるという効果がある。
【図面の簡単な説明】
【図１】（ａ）はカーナビゲーション装置を概略的に示す正面図、（ｂ）は本発明の実施の形態１に係るデータ記録送信装置を概略的に示す平面図、（ｃ）は実施の形態１に係る記録媒体再生装置であるＤＶＤプレーヤを概略的に示す正面図である。
【図２】実施の形態１に係るデータ記録送信装置の構成を示すブロック図である。
【図３】実施の形態１に係るＤＶＤプレーヤの構成を示すブロック図である。
【図４】（ａ）、（ｂ）、（ｃ）は実施の形態１における目的地及びルート設定手順の一例を示す説明図である。
【図５】（ａ）はカーナビゲーション装置を概略的に示す正面図、（ｂ）は本発明の実施の形態２に係るデータ記録送信装置を概略的に示す平面図、（ｃ）は実施の形態２に係る記録媒体再生装置であるカーナビゲーション装置を概略的に示す正面図である。
【図６】実施の形態２に係るカーナビゲーション装置の送受信部の構成を示すブロック図である。
【図７】（ａ）、（ｂ）、（ｃ）は実施の形態２における目的地及びルート設定手順の一例を示す説明図である。
【図８】（ａ）はカーナビゲーション装置を概略的に示す正面図、（ｂ）はリモコン装置を概略的に示す平面図、（ｃ）は本発明の実施の形態３に係るデータ記録送信装置を概略的に示す平面図、（ｄ）は実施の形態３に係る記録媒体再生装置であるＤＶＤプレーヤを概略的に示す正面図である。
【図９】（ａ）、（ｂ）、（ｃ）は実施の形態３における目的地及びルート設定手順の一例を示す説明図である。
【図１０】本発明の実施の形態４に係るデータ記録送信装置の構成を示すブロック図である。
【図１１】実施の形態４に係るデータ記録送信装置がリモコン装置から操作信号を受信している状態を示す説明図である。
【図１２】本発明の実施の形態５に係るデータ記録送信装置の構成を示すブロック図である。
【図１３】実施の形態５に係るデータ記録送信装置がリモコン装置から操作信号を受信している状態を示す説明図である。
【符号の説明】
１０　カーナビゲーション装置、　１４　受光素子、　２０，７０，８０，１１０　データ記録送信装置、　２２，９０　表示部、　２３，７３，８５ａ，１１５ａ　データ記録送信装置の発光素子、　２４，７４，８７ａ，８９ａ，１１７ａ　データ記録送信装置の受光素子、　３５，８５，１１５　データ記録送信装置の送信回路、　３７，８７，８９，１１７　データ記録送信装置の受信回路、　４０　ＤＶＤプレーヤ（記録媒体再生装置）、　４２，５４　記録媒体再生装置の受光素子、　４３，５５　記録媒体再生装置の発光素子、　４６，５８　記録媒体再生装置の送信回路、　４７，５９　記録媒体再生装置の受信回路、　５０　カーナビゲーション装置（記録媒体再生装置）、　６０，１００　リモコン装置、　Ｃ１，Ｃ２　操作信号、　Ｄ１，Ｄ２　データ信号。
【図１】
2004125585.tif 000003
【図２】
2004125585.tif 000004
【図３】
2004125585.tif 000005
【図４】
2004125585.tif 000006
【図５】
2004125585.tif 000007
【図６】
2004125585.tif 000008
【図７】
2004125585.tif 000009
【図８】
2004125585.tif 000010
【図９】
2004125585.tif 000011
【図１０】
2004125585.tif 000012
【図１１】
2004125585.tif 000013
【図１２】
2004125585.tif 000014
【図１３】
2004125585.tif 000015